(57)【要約】    【課題】  本発明は、各種カードに対応すると共に、挿入されたカードを保護することができる撮像装置を提供する。    【解決手段】  撮像装置１００は、カード蓋７１と、電源制御部８０とを備え、カード蓋７１が開放されている場合において、撮像装置１００に挿入されたカード２００のカード種別がカード種別Ａであるときは、電源制御部８０は電源をオフにし、カード種別がメモリカードであるときは、電源制御部８０は電源をオフにするか、又は撮像装置１００を再生モードで起動し、カード種別がカード種別Ｂであるか、撮像装置１００にカード２００が挿入されていないときは、撮像装置１００を再生モード又は撮影モードで起動する。【選択図】      図４
2006033365.tif 000002
【特許請求の範囲】
【請求項１】
所定の種別のカードを挿入するスロット及び該スロットを覆う開閉式のカード蓋を有する撮像装置において、前記カード蓋の開閉状態を検出する開閉状態検出手段と、前記スロットに挿入されたカードのカード種別を検出するカード種別検出手段と、前記検出された開閉状態、及び前記検出されたカード種別に基づいて前記撮像装置の動作を制御する動作制御手段とを備えることを特徴とする撮像装置。
【請求項２】
前記カード種別は、データを記録する記録メディアと、前記カード蓋が開放された状態で使用できる第１のカードと、前記カード蓋が閉鎖された状態で使用できる第２のカードとを含むことを特徴とする請求項１記載の撮像装置。
【請求項３】
撮影により取得した被写体像から画像データを取得すると共に該画像データを前記記録メディアに保存する撮影モード、及び前記保存した画像データを再生する再生モードのうちいずれか一方の動作モードを選択する選択手段と、前記選択された動作モードで前記撮像装置を起動する起動手段とを備え、前記動作制御手段は、前記選択された動作モード、前記検出された開閉状態、及び前記検出されたカード種別に基づいて前記起動手段による前記撮像装置の起動を制御する起動制御手段を備えることを特徴とする請求項２記載の撮像装置。
【請求項４】
前記起動制御手段は、前記カード蓋が開放されている場合において、前記検出されたカード種別が前記第１のカードであるときは、前記起動を行い、前記検出されたカード種別が前記第２のカードであるときは、前記起動を行わないことを特徴とする請求項３記載の撮像装置。
【請求項５】
前記起動手段は、前記カード蓋が開放されており、且つ前記検出されたカード種別が記録メディアである場合において、前記選択された動作モードが前記撮影モードのときは、前記起動を行わないことを特徴とする請求項３又は４記載の撮像装置。
【請求項６】
前記動作制御手段は、前記撮像装置の起動後に、前記検出された開閉状態、及び前記検出されたカード種別に基づいて前記カードの使用を制御する使用制御手段を備えることを特徴とする請求項１乃至５のいずれか１項に記載の撮像装置。    
【請求項７】
前記使用制御手段は、前記カード蓋が開放されたときに、前記検出されたカード種別に基づいて、前記カードの使用を開始又は停止することを特徴とする請求項６記載の撮像装置。
【請求項８】
前記使用制御手段は、前記カード蓋が閉鎖されたときに、前記検出されたカード種別に基づいて、前記カードの使用を開始又は停止することを特徴とする請求項６又は７記載の撮像装置。
【請求項９】
前記使用制御手段は、前記カードが前記スロットに挿入されたときに、前記検出された開閉状態に基づいて、前記カードの使用を開始することを特徴とする請求項６乃至８のいずれか１項に記載の撮像装置。
【請求項１０】
所定の種別のカードを挿入するスロット及び該スロットを覆う開閉式のカード蓋を有する撮像装置の制御方法において、前記カード蓋の開閉状態を検出する開閉状態検出ステップと、前記スロットに挿入されたカードのカード種別を検出するカード種別検出ステップと、前記検出された開閉状態、及び前記検出されたカード種別に基づいて前記撮像装置の動作を制御する動作制御ステップとを備えることを特徴とする制御方法。
【請求項１１】
前記カード種別は、データを記録する記録メディアと、前記カード蓋が開放された状態で使用できる第１のカードと、前記カード蓋が閉鎖された状態で使用できる第２のカードとを含むことを特徴とする請求項１０記載の制御方法。
【請求項１２】
撮影により取得した被写体像から画像データを取得すると共に該画像データを前記記録メディアに保存する撮影モード、及び前記保存した画像データを再生する再生モードのうちいずれか一方の動作モードを選択する選択ステップと、前記選択された動作モードで前記撮像装置を起動する起動ステップとを備え、前記動作制御ステップは、前記選択された動作モード、前記検出された開閉状態、及び前記検出されたカード種別に基づいて前記起動ステップにおける前記撮像装置の起動を制御する起動制御ステップを備えることを特徴とする請求項１１記載の制御方法。
【請求項１３】
前記起動制御ステップは、前記カード蓋が開放されている場合において、前記検出されたカード種別が前記第１のカードであるときは、前記起動を行い、前記検出されたカード種別が前記第２のカードであるときは、前記起動を行わないことを特徴とする請求項１２記載の制御方法。
【請求項１４】
前記起動ステップは、前記カード蓋が開放されており、且つ前記検出されたカード種別が記録メディアである場合において、前記選択された動作モードが前記撮影モードのときは、前記起動を行わないことを特徴とする請求項１２又は１３記載の制御方法。
【請求項１５】
前記動作制御ステップは、前記撮像装置の起動後に、前記検出された開閉状態、及び前記検出されたカード種別に基づいて前記カードの使用を制御する使用制御ステップを備えることを特徴とする請求項１０乃至１４のいずれか１項に記載の制御方法。
【請求項１６】
前記使用制御ステップは、前記カード蓋が開放されたときに、前記検出されたカード種別に基づいて、前記カードの使用を開始又は停止することを特徴とする請求項１５記載の制御方法。
【請求項１７】
前記使用制御ステップは、前記カード蓋が閉鎖されたときに、前記検出されたカード種別に基づいて、前記カードの使用を開始又は停止することを特徴とする請求項１５又は１６記載の制御方法。
【請求項１８】
前記使用制御ステップは、前記カードが前記スロットに挿入されたときに、前記検出された開閉状態に基づいて、前記カードの使用を開始することを特徴とする請求項１５乃至１７のいずれか１項に記載の制御方法。
【請求項１９】
所定の種別のカードを挿入するスロット及び該スロットを覆う開閉式のカード蓋を有する撮像装置の制御プログラムにおいて、前記カード蓋の開閉状態を検出する開閉状態検出モジュールと、前記スロットに挿入されたカードのカード種別を検出するカード種別検出モジュールと、前記検出された開閉状態、及び前記検出されたカード種別に基づいて前記撮像装置の動作を制御する動作制御モジュールとをコンピュータに実行させることを特徴とする制御プログラム。
【請求項２０】
請求項１９記載の制御プログラムを格納したことを特徴とするコンピュータ読取り可能な記録媒体。
【発明の詳細な説明】
【技術分野】
【０００１】
本発明は、撮像装置及びその制御方法、並びにプログラム及び記録媒体に関し、特に、記録メディア又は機能カードを挿入するスロット及び該スロットを覆う開閉式のカード蓋を有する撮像装置及びその制御方法、並びにプログラム及び記録媒体に関する。
【背景技術】
【０００２】
近年、撮影レンズにより投影された被写体像を撮像素子により電気信号に変換し、映像信号として画像データを出力し、該画像データを交換可能なメモリカード等の記録メディアに画像ファイルとして保存することが可能な撮像装置が普及してきている。このような撮像装置において、メモリカードに画像データを保存中にカードをスロットから取出すと、画像データやメモリカードを破壊する恐れがある。
【０００３】
そのため、メモリカードへのアクセス中にスロットを覆うカード蓋を開放した場合に、メモリカードへのアクセスを停止するか、警告音を発してユーザに注意を促している。また、メモリカードを取出したときに自動的に電源をオフにし、メモリカードの挿入時に自動的に電源をオンにする電子カメラ（例えば、特許文献１参照）や、カード蓋に設けた開検知スイッチにより、カード蓋が開放されたことを検出した場合に、カードの電源を強制的にオフするようにした電子カメラ（例えば、特許文献２参照）が開示されている。
【０００４】
一方、メモリカードと同一のＩ／Ｆを有する無線ＬＡＮカードやモデムカード等の機能カードをスロットに挿入して通信等を行うことができる撮像装置も存在する。
【特許文献１】特開平１１−３４１４０８号公報
【特許文献１】特開２０００−８３１８７号公報
【発明の開示】
【発明が解決しようとする課題】
【０００５】
しかしながら、特許文献１に記載の電子カメラは、メモリカードを取出したときに自動的に電源をオフにするので、カードの着脱による操作性の向上や省電力の効果は期待できるが、カード蓋の状態によるカメラの動作制御は行わないので、メモリカードの保護の効果は期待できない。
【０００６】
また、メモリカード以外の機能カードを利用可能な撮像装置において、機能カードをスロットに挿入したときに、カード蓋を閉めることができない場合がある。例えば、無線ＬＡＮカードやモデムカード等は、外部のネットワーク機器や携帯電話等と接続する必要があるため、カード蓋を開けたまま利用しなければならない。特許文献２に記載の電子カメラは、カード蓋が開いたことを検出した場合にカードの電源を強制的に切断するので、メモリカードの保護機能等の効果が期待できるが、カード蓋を開いた状態で利用する機能カードを挿入している場合や、メモリカードを読出しのみで利用する場合でもカード蓋が開いている時はカメラを起動することができない。
【０００７】
本発明の目的は、各種カードに対応すると共に、挿入されたカードを保護することができる撮像装置及びその制御方法、並びにプログラム及び記録媒体を提供することにある。
【課題を解決するための手段】
【０００８】
上述の目的を達成するために、請求項１記載の撮像装置は、所定の種別のカードを挿入するスロット及び該スロットを覆う開閉式のカード蓋を有する撮像装置において、前記カード蓋の開閉状態を検出する開閉状態検出手段と、前記スロットに挿入されたカードのカード種別を検出するカード種別検出手段と、前記検出されたカード蓋の開閉状態、及び前記検出されたカード種別に基づいて前記撮像装置の動作を制御する動作制御手段とを備えることを特徴とする。
【０００９】
請求項２記載の撮像装置は、請求項１記載の撮像装置において、前記カード種別は、データを記録する記録メディアと、前記カード蓋が開放された状態で使用できる第１のカードと、前記カード蓋が閉鎖された状態で使用できる第２のカードとを含むことを特徴とする。
【００１０】
請求項３記載の撮像装置は、請求項２記載の撮像装置において、撮影により取得した被写体像から画像データを取得すると共に該画像データを前記記録メディアに保存する撮影モード、及び前記保存した画像データを再生する再生モードのうちいずれか一方の動作モードを選択する選択手段と、前記選択された動作モードで前記撮像装置を起動する起動手段とを備え、前記動作制御手段は、前記選択された動作モード、前記検出された開閉状態、及び前記検出されたカード種別に基づいて前記起動手段による前記撮像装置の起動を制御する起動制御手段を備えることを特徴とする。
【００１１】
請求項４記載の撮像装置は、請求項３記載の撮像装置において、前記起動制御手段は、前記カード蓋が開放されている場合において、前記検出されたカード種別が前記第１のカードであるときは、前記起動を行い、前記検出されたカード種別が前記第２のカードであるときは、前記起動を行わないことを特徴とする。
【００１２】
請求項５記載の撮像装置は、請求項３又は４記載の撮像装置において、前記起動手段は、前記カード蓋が開放されており、且つ前記検出されたカード種別が記録メディアである場合において、前記選択された動作モードが前記撮影モードのときは、前記起動を行わないことを特徴とする。
【００１３】
請求項６記載の撮像装置は、請求項１乃至５のいずれか１項に記載の撮像装置において、前記動作制御手段は、前記撮像装置の起動後に、前記検出された開閉状態、及び前記検出されたカード種別に基づいて前記カードの使用を制御する使用制御手段を備えることを特徴とする。
【００１４】
請求項７記載の撮像装置は、請求項６記載の撮像装置において、前記使用制御手段は、前記カード蓋が開放されたときに、前記検出されたカード種別に基づいて、前記カードの使用を開始又は停止することを特徴とする。
【００１５】
請求項８記載の撮像装置は、請求項６又は７記載の撮像装置において、前記使用制御手段は、前記カード蓋が閉鎖されたときに、前記検出されたカード種別に基づいて、前記カードの使用を開始又は停止することを特徴とする。
【００１６】
請求項９記載の撮像装置は、請求項６乃至８のいずれか１項に記載の撮像装置において、前記使用制御手段は、前記カードが前記スロットに挿入されたときに、前記検出された開閉状態に基づいて、前記カードの使用を開始することを特徴とする。
【００１７】
上述の目的を達成するために、請求項１０記載の制御方法は、所定の種別のカードを挿入するスロット及び該スロットを覆う開閉式のカード蓋を有する撮像装置の制御方法において、前記カード蓋の開閉状態を検出する開閉状態検出ステップと、前記スロットに挿入されたカードのカード種別を検出するカード種別検出ステップと、前記検出された開閉状態、及び前記検出されたカード種別に基づいて前記撮像装置の動作を制御する動作制御ステップとを備えることを特徴とする。
【００１８】
請求項１１記載の制御方法は、請求項１０記載の制御方法において、前記カード種別は、データを記録する記録メディアと、前記カード蓋が開放された状態で使用できる第１のカードと、前記カード蓋が閉鎖された状態で使用できる第２のカードとを含むことを特徴とする。
【００１９】
請求項１２記載の制御方法は、請求項１１記載の制御方法において、撮影により取得した被写体像から画像データを取得すると共に該画像データを前記記録メディアに保存する撮影モード、及び前記保存した画像データを再生する再生モードのうちいずれか一方の動作モードを選択する選択ステップと、前記選択された動作モードで前記撮像装置を起動する起動ステップとを備え、前記動作制御ステップは、前記選択された動作モード、前記検出された開閉状態、及び前記検出されたカード種別に基づいて前記起動ステップにおける前記撮像装置の起動を制御する起動制御ステップを備えることを特徴とする。
【００２０】
請求項１３記載の制御方法は、請求項１２記載の制御方法において、前記起動制御ステップは、前記カード蓋が開放されている場合において、前記検出されたカード種別が前記第１のカードであるときは、前記起動を行い、前記検出されたカード種別が前記第２のカードであるときは、前記起動を行わないことを特徴とする。
【００２１】
請求項１４記載の制御方法は、請求項１２又は１３記載の制御方法において、前記起動ステップは、前記カード蓋が開放されており、且つ前記検出されたカード種別が記録メディアである場合において、前記選択された動作モードが前記撮影モードのときは、前記起動を行わないことを特徴とする。
【００２２】
請求項１５記載の制御方法は、請求項１０乃至１４のいずれか１項に記載の制御方法において、前記動作制御ステップは、前記撮像装置の起動後に、前記検出された開閉状態、及び前記検出されたカード種別に基づいて前記カードの使用を制御する使用制御ステップを備えることを特徴とする。
【００２３】
請求項１６記載の制御方法は、請求項１５記載の制御方法において、前記使用制御ステップは、前記カード蓋が開放されたときに、前記検出されたカード種別に基づいて、前記カードの使用を開始又は停止することを特徴とする。
【００２４】
請求項１７記載の制御方法は、請求項１５又は１６記載の制御方法において、前記使用制御ステップは、前記カード蓋が閉鎖されたときに、前記検出されたカード種別に基づいて、前記カードの使用を開始又は停止することを特徴とする。
【００２５】
請求項１８記載の制御方法は、請求項１５乃至１７のいずれか１項に記載の制御方法において、前記使用制御ステップは、前記カードが前記スロットに挿入されたときに、前記検出された開閉状態に基づいて、前記カードの使用を開始することを特徴とする。
【００２６】
上述の目的を達成するために、請求項１９記載の制御プログラムは、カードを挿入するスロット及び該スロットを覆う開閉式のカード蓋を有する撮像装置の制御プログラムにおいて、前記カード蓋の開閉状態を検出する開閉状態検出モジュールと、前記スロットに挿入されたカードのカード種別を検出するカード種別検出モジュールと、前記検出された開閉状態、及び前記検出されたカード種別に基づいて動作を制御する動作制御モジュールとをコンピュータに実行させることを特徴とする。
【００２７】
上述の目的を達成するために、請求項２０記載のコンピュータ読取り可能な記録媒体は、請求項１９記載の制御プログラムを格納したことを特徴とする。
【発明の効果】
【００２８】
請求項１記載の撮像装置、請求項１０記載の制御方法、請求項１９記載の制御プログラム、及び請求項２０記載の記録媒体によれば、検出された開閉状態、及び検出されたカード種別に基づいて撮像装置の動作を制御するので、各種カードに対応すると共に、挿入されたカードを保護することができる。
【００２９】
請求項３記載の撮像装置、請求項１２記載の制御方法によれば、選択された動作モード、検出された開閉状態、及び検出されたカード種別に基づいて撮像装置の起動を制御するので、各種カードに対応すると共に、挿入されたカードを保護することができる。
【００３０】
請求項４記載の撮像装置、請求項１３記載の制御方法によれば、カード蓋が開放されている場合において、検出されたカード種別が第１のカードであるときは、起動を行い、検出されたカード種別が第２のカードであるときは、起動を行わないので、各種カードに対応すると共に、挿入されたカードを保護することができる。
【００３１】
請求項５記載の撮像装置、請求項１４記載の制御方法によれば、カード蓋が開放されており、且つ検出されたカード種別が記録メディアである場合において、選択された動作モードが撮影モードのときは、起動を行わないので、カード蓋が開放されたときに記録メディアに書込むのを禁止し、もって記録メディアを保護することができる。
【００３２】
請求項６記載の撮像装置、請求項１５記載の制御方法によれば、撮像装置の起動後に、検出された開閉状態、及び検出されたカード種別に基づいてカードの使用を制御するので、各種カードに対応すると共に、挿入されたカードを保護することができる。
【００３３】
請求項７記載の撮像装置、請求項１６記載の制御方法によれば、カード蓋が開放されたときに、検出されたカード種別に基づいて、カードの使用を開始又は停止するので、使用できないカードが挿入されたときは自動的にカードの使用を停止し、もって消費電力を低減することができる。
【００３４】
請求項８記載の撮像装置、請求項１７記載の制御方法によれば、カード蓋が閉鎖されたときに、検出されたカード種別に基づいて、カードの使用を開始又は停止するので、使用できないカードが挿入されたときは自動的にカードの使用を停止し、もって消費電力を低減することができる。
【００３５】
請求項９記載の撮像装置、請求項１８記載の制御方法によれば、カードがスロットに挿入されたときに、検出された開閉状態に基づいて、カードの使用を開始するので、カードの使用をカード蓋が閉鎖された後に開始することができ、もって挿入されたカードを保護することができる。
【発明を実施するための最良の形態】
【００３６】
以下、本発明の実施の形態を図面を参照しながら詳述する。
【００３７】
図１は、本発明の実施の形態に係る撮像装置の内部構成を概略的に示すブロック図である。
【００３８】
図１において、本実施の形態に係る撮像装置１００は、撮影レンズ１０と、撮影レンズ１０を保護する保護部１１と、絞り機能を備えたシャッタ１２と、光学像を電気信号に変換する撮像素子１４と、撮像素子１４に接続されると共に撮像素子１４から出力されたアナログ信号をデジタル信号に変換するＡ／Ｄ変換器１６と、タイミング発生回路１８と、Ａ／Ｄ変換器１６に接続された画像処理回路２０と、メモリ制御回路２２と、画像表示メモリ２４と、Ｄ／Ａ変換器２６と、Ｄ／Ａ変換器２６に接続された画像表示部２８と、光学ファインダ２９と、メモリ３０と、圧縮・伸長回路３２と、通信部３３と、画像リサイズ回路３４と、システム制御回路５０とを備える。
【００３９】
Ａ／Ｄ変換器１６、タイミング発生回路１８、画像処理回路２０、画像表示メモリ２４、及びＤ／Ａ変換器２６は、メモリ制御回路２２に夫々接続される。撮像素子１４、Ａ／Ｄ変換器１６及びＤ／Ａ変換器２６は、タイミング発生回路１８に夫々接続される。
【００４０】
撮像装置１００は、また、シャッタ１２に接続された露光制御部４０と、撮影レンズ１０に接続された測距制御部４２と、撮影レンズ１０に接続されたズーム制御部４４と、保護部１１に接続されたバリア制御部４６と、フラッシュ４８と、システム制御回路５０の動作用の定数や変数、プログラム等を記憶するメモリ５２と、システム制御回路５０でのプログラムの実行に応じて、文字や画像、音声等を用いて動作状態やメッセージ等を表示する液晶表示装置及びスピーカー等から成る表示部５４と、電気的に消去・記録可能であるＥＥＰＲＯＭ等の不揮発性メモリ５６と、カード検出スイッチ９３と、メインスイッチ６０と、シャッタスイッチ６２，６４と、カード蓋検出スイッチ７３と、操作部７０と、モードダイアルスイッチ７２と、電源制御部８０とを備え、これらはシステム制御回路５０に夫々接続されている。
【００４１】
撮像装置１００は、さらに、カード仕様データベース５３と、カード仕様データベース５３を参照してカード２００のカード種別を判別するカード種別読取部５１と、カード検出スイッチ９３に接続されると共に、メモリカードや機能カード等のカード２００とコネクタ９２，２０６を介して接続されたＩ／Ｆ（インターフェース）部９０と、カード蓋７１と、電源制御部８０にコネクタ８２，８４を介して接続された電源部８６とを備える。
【００４２】
メモリ制御回路２２、メモリ３０、圧縮・伸長回路３２、通信部３３、画像リサイズ回路３４、システム制御回路５０、カード種別読取部５１、及びＩ／Ｆ部９０は、システムバスを介して互いに接続されている。
【００４３】
カード２００は、撮像装置１００の不図示のスロットに挿入され、コネクタ９２，２０６を介してＩ／Ｆ部９０と接続され、カード蓋７１は、カード２００が挿入されたスロットを覆う。カード２００は、カード２００の機能を実現する機能部２０２と、機能部２０２に接続されていると共に、Ｉ／Ｆ部９０とコネクタ９２，２０６を介して接続されたＩ／Ｆ部２０４とを備える。
【００４４】
タイミング発生回路１８は、メモリ制御回路２２及びシステム制御回路５０により制御され、撮像素子１４、Ａ／Ｄ変換器１６及びＤ／Ａ変換器２６にクロック信号や制御信号を供給する。画像処理回路２０は、Ａ／Ｄ変換器１６からのデータ又はメモリ制御回路２２からのデータに対して所定の画素補間処理や色変換処理を行う。
【００４５】
メモリ制御回路２２は、Ａ／Ｄ変換器１６、タイミング発生回路１８、画像処理回路２０、画像表示メモリ２４、Ｄ／Ａ変換器２６、メモリ３０、及び圧縮・伸長回路３２を夫々制御する。Ａ／Ｄ変換器１６からのデータが、画像処理回路２０及びメモリ制御回路２２を介して、又は、直接メモリ制御回路２２を介して、画像表示メモリ２４又はメモリ３０に書き込まれる。
【００４６】
Ｄ／Ａ変換器２６は、メモリ制御回路２２から出力されたデジタル信号をアナログ信号に変換し、画像表示部２８に表示させる。画像表示部２８を用いて、撮像した画像データを逐次表示すれば、電子ファインダ機能を実現することが可能である。また、画像表示部２８は、システム制御回路５０の指示により任意に表示をオン／オフすることが可能であり、表示をオフにした場合には撮像装置１００の電力消費を大幅に低減することができる。
【００４７】
メモリ３０は、撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０は、システム制御回路５０の作業領域としても使用することが可能である。
【００４８】
圧縮・伸長回路３２は、適応離散コサイン変換（ＡＤＣＴ）等により画像データを圧縮伸長する回路であり、メモリ３０に格納された画像データを読み込んで圧縮処理又は伸長処理を行い、処理を終えた画像データをメモリ３０に書き込む。通信部３３は、ＲＳ２３２ＣやＵＳＢ、ＩＥＥＥ１３９４、Ｐ１２８４、ＳＣＳＩ、モデム、ＬＡＮ等の有線通信、ＩｒＤＡ等の赤外線通信、光通信、等の各種通信機能を有する。
【００４９】
露光制御部４０は、絞り機能を備えるシャッタ１２を制御し、フラッシュ４８と連携することによりフラッシュ調光機能も有する。測距制御部４２は、撮影レンズ１０のフォーカシングを制御し、ズーム制御部４４は撮影レンズ１０のズーミングを制御する。保護部１は、撮像装置１００のレンズ１０を含む撮像部分を覆うことにより、撮像部分の汚れや破損を防止するバリアの役割を有し、バリア制御部４６は、保護部１１の動作を制御する。
【００５０】
フラッシュ４８は、ＡＦ補助光の投光機能やフラッシュ調光機能も有する。露光制御部４０及び測距制御部４２は、ＴＴＬ（スルー・ザ・レンズ）方式を用いて制御されており、撮像した画像データを画像処理回路２０によって演算した演算結果に基づき、システム制御回路５０が露光制御部４０及び測距制御部４２に対して制御を行う。
【００５１】
撮像装置１００では、ＴＴＬ方式のＡＦ（オートフォーカス）制御処理、ＡＥ（自動露出）制御処理、及びＥＦ（フラッシュプリ発光）制御処理を行っている。これらの制御処理は、画像処理回路２０において、撮像した画像データを用いて所定の演算処理を行い、得られた演算結果に基づいてシステム制御回路５０が露光制御部４０及び測距制御部４２に対して制御を行うものである。さらに、画像処理回路２０においては、撮像した画像データを用いて所定の演算処理を行い、得られた演算結果に基づいてＴＴＬ方式のＡＷＢ（オートホワイトバランス）処理も行っている。
【００５２】
表示部５４は、操作部７０近辺の視認し易い位置に単数又は複数個所設置され、例えばＬＣＤやＬＥＤ、発音素子等の組み合わせにより構成されている。また、表示部５４は、その一部の機能が光学ファインダ２９内に設置されている。
【００５３】
表示部５４の表示内容のうち、ＬＣＤ等に表示するものとしては、例えば、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、カード２００の着脱状態表示、通信Ｉ／Ｆ動作表示、日付・時刻表示、記録媒体に保存されている画像ファイルの表示、記録媒体に保存されている画像ファイル名のリスト表示、外部コンピュータとの接続状態を示す表示、外部撮像装置との接続状態を示す表示、外部コンピュータもしくは撮像装置との画像ファイル等のデータの送受信の状態を示す表示等がある。
【００５４】
また、表示部５４の表示内容のうち、光学ファインダ２９内に表示するものとしては、例えば、合焦表示、撮影準備完了表示、手振れ警告表示、フラッシュ充電表示、フラッシュ充電完了表示、シャッタスピード表示、絞り値表示、露出補正表示、記録媒体書き込み動作表示等がある。
【００５５】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示等がある。そして、表示部５４の表示内容のうち、ランプ等に表示するものとしては、例えば、セルフタイマ通知ランプ等がある。このセルフタイマ通知ランプは、ＡＦ補助光と共用して用いてもよい。
【００５６】
撮像装置１００は、画像表示部２８による電子ファインダ機能を使用することなく光学ファインダ２９のみを用いて撮影を行うことが可能である。また、光学ファインダ２９内には、表示部５４の一部の表示機能、例えば、合焦表示や、手振れ警告表示、フラッシュ充電表示、シャッタスピード表示、絞り値表示、露出補正表示等が可能である。
【００５７】
メインスイッチ６０、シャッタスイッチ６２，６４、操作部７０及びモードダイアルスイッチ７２は、システム制御回路５０の各種の動作指示を入力するための操作手段であり、スイッチやダイアル、タッチパネル、視線検知によるポインティング、音声認識装置等の単数又は複数の組み合わせで構成される。
【００５８】
メインスイッチ６０は、撮像装置１００の電源オン、電源オフの各モードを切替え設定するための電源スイッチである。また、撮像装置１００に接続された各種付属装置の電源オン、電源オフの設定も合わせて切り替え設定することができる。
【００５９】
シャッタスイッチ６２（ＳＷ１）は、不図示のシャッタボタンの操作途中でオンとなり、ＡＦ処理、ＡＥ処理、ＡＷＢ（オートホワイトバランス）処理、ＥＦ（フラッシュプリ発光）処理等の動作開始を指示する。シャッタスイッチ６４（ＳＷ２）は、不図示のシャッタボタンの操作完了でオンとなり、撮像素子１４から読み出した信号をＡ／Ｄ変換器１６及びメモリ制御回路２２を介してメモリ３０に書き込む露光処理、画像処理回路２０やメモリ制御回路２２での演算を用いた現像処理、メモリ３０から画像データを読み出し圧縮・伸長回路３２で圧縮を行ってカード２００に画像データを書き込む記録処理という一連の処理の動作開始を指示する。
【００６０】
操作部７０は、各種ボタンやタッチパネル等から成り、例えば、メニューボタン、セットボタン、マクロボタン、マルチ画面再生改ページボタン、フラッシュ設定ボタン、単写／連写／セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、圧縮モードスイッチ、撮影直後に撮影した画像データを画像表示部２８を用いて自動再生表示するクイックレビュー機能を設定するクイックレビュースイッチ、撮影及び又は再生及び又は通信を実行する際に各種機能の選択及び切り替えを設定する選択／切り替えスイッチ、撮影及び又は再生及び又は通信を実行する際に各種機能やユーザ設定、画像に対するプロパティ設定等の決定及び実行を行う決定／実行スイッチ等が配設されている。なお、画像に対するプロパティの１つには、当該画像に対する圧縮許可属性が含まれている。
【００６１】
圧縮モードスイッチにおいては、ＪＰＥＧ（Joint Photographic Expert Group）圧縮の圧縮率を選択するため、又は撮像素子の信号をそのままデジタル化して記録媒体に記録するＣＣＤＲＡＷモードを選択するためのスイッチである。
【００６２】
ＪＰＥＧ圧縮のモードは、例えばノーマルモードとファインモードとエコノミーモードが用意されている。撮像装置１００の利用者は、撮影した画像のデータサイズを重視する場合はノーマルモードまたはエコノミーモードを、撮影した画像の画質を重視する場合はファインモードを、それぞれ選択して撮影を行うことができる。
【００６３】
ＪＰＥＧ圧縮のモードに於いては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮し、カード２００に記録を行う。
【００６４】
ＣＣＤＲＡＷモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、カード２００に記録を行う。
【００６５】
モードダイアルスイッチ７２は、電源オフ、自動撮影モード、撮影モード、パノラマ撮影モード、再生モード、マルチ画面再生・消去モード、及びＰＣ接続モード等の各機能モードを切り替え設定するためのスイッチである。
【００６６】
電源制御部８０は、電池検出回路やＤＣ−ＤＣコンバータ、通電するブロックを切り替えるスイッチ回路等により構成されており、電池の装着の有無や、電池の種類、電池残量の検出を行い、その検出結果及びシステム制御回路５０の指示に基づいてＤＣ−ＤＣコンバータを制御し、必要な電圧を必要な期間に亘って各部へ供給する。電源部８６は、アルカリ電池やリチウム電池等の一次電池、ＮｉＣｄ電池やＮｉＭＨ電池、Ｌｉ電池等の二次電池、及びＡＣアダプター等から構成されている。
【００６７】
カード２００は、コンパクトフラッシュ（登録商標）やＳＤカード等のメモリカード、ハードディスク等の記録媒体、又は無線ＬＡＮカードやモデムカード、ＧＰＳカード等の機能カードである。機能部２０２は、機能カード２００の種類毎に異なるものであり、例えば、メモリカードの場合は不揮発性メモリ、ハードディスクの場合は磁気ディスク、無線ＬＡＮカードの場合はアンテナ等を含む無線通信モジュールである。
【００６８】
カード検出スイッチ９３は、カード２００がコネクタ９２に接続されたことを電気的に検知するスイッチで、これにより起動時に何らかのカード２００が接続されていることを検出すること、又は、動作時にカード２００が接続されたことを動的に検出することができる。
【００６９】
カード蓋７１は、カード２００が挿入されたスロットを覆う蓋であり、カード蓋７１が閉鎖した状態ではカード２００の出し入れは行うことができない。カード蓋検出スイッチ７３は、カード蓋７１付近に取り付けられたスイッチであり、カード蓋７１の開閉状態を検出する。
【００７０】
本実施の形態において、カード２００には、使用形態や形状により、撮像装置１００に挿入されたときに、カード蓋７１を閉めることができるものと、カード蓋７１を閉めることができないものとが存在する。カード蓋７１を閉めることができるものは、例えば、メモリカードである。カード蓋７１を閉めることができないものは、例えば、有線ＬＡＮカードやモデムカード等の使用時に外部装置とケーブルで接続する必要がる機能カードや、無線ＬＡＮカードや、ＰＨＳカード等の比較的大きなアンテナ部を有する機能カードである。
【００７１】
カード種別読取部５１は、Ｉ／Ｆ部９０に接続されたカード２００からカード情報（タプル情報）を読出し、カード仕様データベース５３を参照してカード２００のカード種別を判別する。カード仕様データベース５３には、既知のカード２００のカード種別と、該カード２００を利用時にカード蓋７１を閉めた状態で利用可能か否かの情報とが格納されている。カード種別読取り部５１で読取ったカード種別により、このカード仕様データベース５３からカード蓋７１を閉めた状態で利用可能か否かの情報が検索され、その情報に従って撮像装置１００の動作を決定することができる。
【００７２】
図１の撮像装置１００は、後述する図２の動作モードで起動し、起動後は、後述する図３の動作を行う。
【００７３】
図２は、図１の撮像装置１００の起動時の動作モードを説明するのに用いられる図である。
【００７４】
図２において、カード２００のカード種別は、メモリカードと、カード蓋７１を閉鎖したときのみ使用できるカード（以下、「カード種別Ａ」という）と、カード蓋７１を閉鎖していなくても（開放した状態で）使用できるカード（以下、「カード種別Ｂ」という）とから成る。
【００７５】
撮像装置１００の動作モードは、再生モードと、撮影モードとからなり、ユーザによりモードダイアルスイッチ７２を用いて選択される。撮影モードでは、撮影動作を行い、撮影した画像データをメモリカードに保存したり、画像データをＬＡＮカード等の機能カードを用いて通信で他のシステムに転送したりすることができる。再生モードでは、メモリカード内の画像データの読出しを行い、新たなデータをメモリカードに書込むことはない。
【００７６】
カード蓋７１を閉鎖しているときは、撮像装置１００に挿入されているカード２００のカード種別に拘わらず、撮影モードが選択されれば撮影モードで撮像装置１００を起動し、再生モードが選択されれば再生モードで撮像装置１００を起動する。但し、カード種別Ｂに属するものであって、物理的にカード蓋７１を閉鎖できないカードであるときには、この限りではない。
【００７７】
カード蓋７１を開放している場合において、撮像装置１００に挿入されているカード２００のカード種別がメモリカードであるときは、再生モードが選択されれば再生モードで撮像装置１００を起動し、撮影モードが選択されれば撮像装置１００の電源をオフにし、カード２００のカード種別がカード種別Ａであるときは、撮像装置１００の電源をオフにし、カード２００のカード種別がカード種別Ｂであるときは、選択された動作モードで撮像装置１００を起動する。
【００７８】
撮像装置１００にカード２００が挿入されていない場合（カードなし）は、カード蓋７１の開閉に拘わらず、選択された動作モードで撮像装置１００を起動するが、画像データを記録することはできない。
【００７９】
図３は、図１の撮像装置１００の起動後の動作を説明するのに用いられる図である。
【００８０】
図３において、カード２００のカード種別は、メモリカードと、カード蓋７１を閉鎖したときのみ使用できるカード（カード種別Ａ）と、カード蓋７１を開放したときのみ使用できるカード（以下、「カード種別Ｃ」という）と、カード蓋７１の開閉状態に拘わらず使用できるカード（以下、「カード種別Ｄ」という）とから成る。
【００８１】
撮像装置１００の起動後にカード蓋７１を開放したときは、撮像装置１００に挿入されているカード２００のカード種別がメモリカードであるときは、メモリカードへの書込み終了後に電源をオフにし、カード２００のカード種別がカード種別Ａであるときは、カード２００の使用停止後に電源をオフにし、カード２００のカード種別がカード種別Ｃであるときは、カード２００の使用を開始し、カード２００のカード種別がカード種別Ｄであるか、又は、撮像装置１００にカード２００が挿入されていないとき（カードなし）は、撮像装置１００の動作を継続する。
【００８２】
撮像装置１００の起動後にカード蓋７１を閉鎖したときは、撮像装置１００に挿入されているカード２００のカード種別がメモリカード又はカード種別Ａであるときは、カード２００の使用を開始し、カード２００のカード種別がカード種別Ｃであるときは、カード２００の使用を停止し、カード２００のカード種別がカード種別Ｄであるか、又は、撮像装置１００にカード２００が挿入されていないとき（カードなし）は、撮像装置１００の動作を継続する。但し、カード種別Ｃに属するものであって、物理的にカード蓋７１を閉鎖できないカードであるときには、上記の動作を行なうことはできない。
【００８３】
撮像装置１００の起動後に撮像装置１００にカード２００を挿入したときは、撮像装置１００に挿入されているカード２００のカード種別がメモリカード又はカード種別Ａであるときは、カード蓋７１が閉鎖されるまで待機し、カード蓋７１の閉鎖後にカード２００の使用を開始し、カード種別がカード種別Ｃ又はカード種別Ｄであるときは、直ちにカード２００の使用を開始する。
【００８４】
また、図１の撮像装置１００は、起動時には後述する図４の起動時制御処理、起動後にカード蓋７１を開放したときは後述する図５のカード蓋開放時制御処理、起動後にカード蓋７１を閉鎖したときは後述する図６のカード蓋閉鎖時制御処理、起動後に撮像装置１００にカード２００を挿入したときは後述する図７のカード挿入時制御処理を夫々実行する。
【００８５】
図４は、図１の撮像装置１００によって実行される起動時制御処理のフローチャートである。
【００８６】
図４において、ユーザの電源部８６の操作等により撮像装置１００の起動が指示されると、カード種別読取部５１は、Ｉ／Ｆ部９０に接続されたカード２００からカード情報を読出し（ステップＳ４０１）、カード仕様データベース５３を参照してカード種別がメモリカードであるか否かを判別し（ステップＳ４０２）、カード種別がメモリカードでないときは、カード種別がカード種別Ａであるか否かを判別する（ステップＳ４０３）。
【００８７】
ステップＳ４０２の判別の結果、カード種別がメモリカードであるか、又は、ステップＳ４０３の判別の結果、カード種別がカード種別Ａであるときは、カード蓋検出スイッチ７３はカード蓋７１の開閉状態を検出し（ステップＳ４０４）、カード蓋７１が開放されているか否かを判別し（ステップＳ４０５）、カード蓋７１が開放されているときは、撮像装置１００に挿入されているカード２００のカード種別がメモリカードであるか否かを判別する（ステップＳ４０６）。
【００８８】
ステップＳ４０６の判別の結果、カード種別がメモリカードであるときは、システム制御回路５０は、ユーザによりモードダイアル７２又はメインスイッチ６０を用いて選択された動作モードが撮影モードであるか否かを判別する（ステップＳ４０８）。
【００８９】
ステップＳ４０３の判別の結果、カード種別がカード種別Ａでない、即ちカード種別がカード種別Ｂであるか、撮像装置１００にカード２００が挿入されていないときは、システム制御回路５０は、ユーザによりモードダイアル７２又はメインスイッチ６０を用いて選択された動作モードが撮影モードであるか否かを判別する（ステップＳ４１０）。
【００９０】
ステップＳ４０６の判別の結果、カード種別がメモリカードでないとき、即ち、カード種別Ａであるとき、又は、ステップＳ４０８の判別の結果、ユーザにより選択された動作モードが撮影モードであるときは、電源制御部８０は電源をオフにし（ステップＳ４０７）、本処理を終了する。
【００９１】
ステップＳ４０８の判別の結果、ユーザにより選択された動作モードが撮影モードでなく、即ち再生モードであるとき、又は、ステップＳ４１０の判別の結果、ユーザにより選択された動作モードが撮影モードでない、即ち再生モードであるときは、システム制御回路５０は、撮像装置１００を再生モードで起動し（ステップＳ４０９）、本処理を終了する。
【００９２】
ステップＳ４１０の判別の結果、ユーザにより選択された動作モードが撮影モードであるときは、システム制御回路５０は、撮像装置１００を撮影モードで起動し（ステップＳ４１１）、本処理を終了する。
【００９３】
ステップＳ４０５の判別の結果、カード蓋７１が開放されていない、即ち閉鎖されているときは、ステップＳ４１０以降の処理を実行して、本処理を終了する。
【００９４】
図４の処理によれば、カード蓋７１が開放されており（ステップＳ４０５でＹＥＳ）、カード種別がメモリカードである場合において（ステップＳ４０６でＹＥＳ）、ユーザにより選択された動作モードが撮影モードであるときは（ステップＳ４０８でＹＥＳ）、電源制御部８０は電源をオフにする（ステップＳ４０７）ので、カード蓋が開放されたときに記録メディアに書込むのを禁止し、もって記録メディアを保護することができる。
【００９５】
また、カード種別がカード種別Ｂであるか（ステップＳ４０３でＮＯ）、撮像装置１００にカード２００が挿入されていないときは（ステップＳ４０３でＮＯ）、撮像装置１００を再生モード又は撮影モードで起動する（ステップＳ４０９、Ｓ４１１）ので、各種カードに対応すると共に、挿入されたカードを保護することができる。
【００９６】
図５は、図１の撮像装置１００によって実行されるカード蓋開放時制御処理のフローチャートである。
【００９７】
図５において、撮像装置１００の起動後にカード蓋７１を開放したときは、カード種別読取部５１は、Ｉ／Ｆ部９０に接続されたカード２００からカード情報を読出し、カード仕様データベース５３を参照して撮像装置１００に挿入されているカード２００のカード種別がメモリカードであるか否か（ステップＳ５０１）、カード種別Ａであるか否か（ステップＳ５０２）、カード種別Ｃであるか否か（ステップＳ５０３）を夫々判断する。
【００９８】
ステップＳ５０１の判別の結果、撮像装置１００に挿入されているカード２００のカード種別がメモリカードであるときは、メモリ制御回路２２は、メモリカードに画像データを書込み中であるか否かを判別し（ステップＳ５０４）、メモリカードに画像データを書込み中であるときは、カード蓋検出スイッチ７３はカード蓋７１の開閉状態を検出し、カード蓋７１が開放されているか否かを判別する（ステップＳ５０５）。
【００９９】
ステップＳ５０５の判別の結果、カード蓋７１が開放されているときは、システム制御回路５０は、表示部５４が備えるスピーカーからユーザに対する警告音を発生させ（ステップＳ５０６）、一方、カード蓋７１が閉鎖されたときは、システム制御回路５０はユーザに対する警告音を停止し（ステップＳ５０７）、ステップＳ５０４に戻る。この警告音は、ユーザに画像データの書込み中にメモリカードを取出さないように警告するものである。
【０１００】
ステップＳ５０４の判別の結果、メモリカードに画像データを書込み中でないときは、システム制御回路５０は警告音が発生されていれば警告音を停止し（ステップＳ５０８）、電源制御部８０は電源をオフにして（ステップＳ５０９）、本処理を終了する。
【０１０１】
ステップＳ５０２の判別の結果、撮像装置１００に挿入されているカード２００のカード種別がカード種別Ａであるときは、システム制御回路５０はカード２００の使用を停止し（ステップＳ５１０）、電源制御部８０は電源をオフにし（ステップＳ５０９）、本処理を終了する。
【０１０２】
ステップＳ５０３の判別の結果、撮像装置１００に挿入されているカード２００のカード種別がカード種別Ｃであるときは、システム制御回路５０はカード２００の使用を開始し（ステップＳ５１１）、本処理を終了する。
【０１０３】
ステップＳ５０３の判別の結果、撮像装置１００に挿入されているカード２００のカード種別がカード種別Ｃでない、即ちカード種別がカード種別Ｄであるか、撮像装置１００にカード２００が挿入されていないときは、直ちに本処理を終了し、カード蓋７１が開放される前の動作を継続する。
【０１０４】
なお、ステップＳ５０６で発生させる警告音は、ユーザに画像データの書込み中にメモリカードを取出さないように警告する方法の一例であり、警告音に代えて、表示部５４が備えるＬＥＤを点滅させてもよく、表示部５４が備える液晶の表示装置にメッセージを表示してもよい。また、警告音は発生せず、カード蓋７１が開放されている間はメモリカードへの書込みを停止し、カード蓋７１が閉鎖されたときのみ書込みを行うように構成してもよい。
【０１０５】
図５の処理によれば、カード２００のカード種別がメモリカードであるときは（ステップＳ５０１でＹＥＳ）、書込み終了後に電源制御部８０は電源をオフにし（ステップＳ５０９）、カード種別Ａであるときは（ステップＳ５０２でＹＥＳ）、システム制御回路５０はカード２００の使用を停止し（ステップＳ５１０）、カード種別Ｃであるときは（ステップＳ５０３でＹＥＳ）、システム制御回路５０はカード２００の使用を開始する（ステップＳ５１１）ので、使用できないカードが挿入されたときは自動的にカードの使用を停止し、もって消費電力を低減することができる。
【０１０６】
図６は、図１の撮像装置１００によって実行されるカード蓋閉鎖時制御処理のフローチャートである。
【０１０７】
図６において、撮像装置１００の起動後にカード蓋７１を閉鎖したときは、カード種別読取部５１は、Ｉ／Ｆ部９０に接続されたカード２００からカード情報を読出し、カード仕様データベース５３を参照して撮像装置１００に挿入されているカード２００のカード種別がメモリカードであるか否かを判別し（ステップＳ６０１）、メモリカードでないときは、カード種別Ａであるか否かを判別し（ステップＳ６０２）、カード種別Ａでないときは、カード種別Ｃであるか否か（ステップＳ６０３）を判断する。
【０１０８】
ステップＳ６０１の判別の結果、撮像装置１００に挿入されているカード２００のカード種別がメモリカードであるか、又はステップＳ６０２の判別の結果、撮像装置１００に挿入されているカード２００のカード種別がカード種別Ａであるときは、システム制御回路５０はカード２００の使用を開始し（ステップＳ６０４）、本処理を終了する。
【０１０９】
ステップＳ６０３の判別の結果、撮像装置１００に挿入されているカード２００のカード種別がカード種別Ｃであるときは、システム制御回路５０はカード２００の使用を停止し（ステップＳ６０５）、本処理を終了する。
【０１１０】
図６の処理によれば、カード２００のカード種別がメモリカードであるか（ステップＳ６０１でＹＥＳ）、又はカード種別Ａであるときは（ステップＳ６０２でＹＥＳ）、システム制御回路５０はカード２００の使用を開始し（ステップＳ６０４）、カード２００のカード種別がカード種別Ｃであるときは（ステップＳ６０３でＹＥＳ）、システム制御回路５０はカード２００の使用を停止する（ステップＳ６０５）ので、使用できないカードが挿入されたときは自動的にカードの使用を停止し、もって消費電力を低減することができる。
【０１１１】
図７は、図１の撮像装置１００によって実行されるカード挿入時制御処理のフローチャートである。
【０１１２】
図７において、撮像装置１００の起動後に撮像装置１００にカード２００を挿入したときは、カード種別読取部５１は、Ｉ／Ｆ部９０に接続されたカード２００からカード情報を読出し（ステップＳ７０１）、カード仕様データベース５３を参照して撮像装置１００に挿入されているカード２００のカード種別がメモリカードであるか否かを判別し（ステップＳ７０２）、カード種別がメモリカードでないときは、カード種別がカード種別Ａであるか否かを判別する（ステップＳ７０３）。
【０１１３】
ステップＳ７０３の判別の結果、カード種別がカード種別Ａでない、即ち、カード種別Ｃ又はカード種別Ｄであるときは、システム制御回路５０はカード２００の使用を開始し（ステップＳ７０４）、本処理を終了する。
【０１１４】
ステップＳ７０２の判別の結果、撮像装置１００に挿入されているカード２００のカード種別がメモリカードであるか、又はステップＳ７０３の判別の結果、カード種別がカード種別Ａであるときは、カード蓋検出スイッチ７３はカード蓋７１の開閉状態を検出し（ステップＳ７０５）、カード蓋７１が開放されているか否かを判別し（ステップＳ７０６）、カード蓋７１が開放されているときはステップＳ７０５に戻り、カード蓋７１が閉鎖されたときは、システム制御回路５０はカード２００の使用を開始し（ステップＳ７０４）、本処理を終了する。
【０１１５】
図７の処理によれば、カード２００のカード種別がメモリカードであるか（ステップＳ７０２でＹＥＳ）、又はカード種別Ａであるときは（ステップＳ７０３でＹＥＳ）、カード蓋７１が開放状態で待機し（ステップＳ７０５、Ｓ７０６）、カード蓋７１が閉鎖されたときは（ステップＳ７０６でＮＯ）、システム制御回路５０はカード２００の使用を開始する（ステップＳ７０４）ので、カードの使用をカード蓋が閉鎖された後に開始することができ、もって挿入されたカードを保護することができる。
【０１１６】
また、本発明の目的は、上記実施形態の機能を実現するソフトウェアのプログラムコードを記録した記憶媒体を、システム又は装置に供給し、そのシステム又は装置のコンピュータ（又はＣＰＵやＭＰＵ）が記憶媒体に格納されたプログラムコードを読出して実行することによっても達成されることは云うまでもない。
【０１１７】
この場合、記憶媒体から読出されたプログラムコード自体が前述した実施の形態の機能を実現することになり、プログラムコード、及びそのプログラムコードを記憶した記憶媒体は本発明を構成することになる。
【０１１８】
また、コンピュータが読出したプログラムコードを実行することにより、前述した実施の形態の機能が実現されるだけでなく、そのプログラムコードの指示に基づき、コンピュータ上で稼働しているオペレーティングシステム(ＯＳ)などが実際の処理の一部又は全部を行い、その処理によって前述した実施の形態の機能が実現される場合も含まれることは云うまでもない。
【０１１９】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵ等が実際の処理の一部又は全部を行い、その処理によって前述した実施の形態の機能が実現される場合も含まれることは云うまでもない。
【０１２０】
また、上記プログラムは、上述した実施の形態の機能をコンピュータで実現することができればよく、その形態は、オブジェクトコード、インタプリタにより実行されるプログラムコード、ＯＳに供給されるスクリプトデータ等の形態を有するものでもよい。
【０１２１】
プログラムを供給する記録媒体としては、例えば、フロッピー（登録商標）ディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、他のＲＯＭ等を用いることができる。又は、上記プログラムは、インターネット、商用ネットワーク、若しくはローカルエリアネットワーク等に接続される不図示の他のコンピュータやデータベース等からダウンロードすることにより供給される。
【図面の簡単な説明】
【０１２２】
【図１】本発明の実施の形態に係る撮像装置の内部構成を概略的に示すブロック図である。
【図２】図１の撮像装置の起動時の動作モードを説明するのに用いられる図である。
【図３】図１の撮像装置の起動後の動作を説明するのに用いられる図である。
【図４】図１の撮像装置によって実行される起動時制御処理のフローチャートである。
【図５】図１の撮像装置によって実行されるカード蓋開放時制御処理のフローチャートである。
【図６】図１の撮像装置によって実行されるカード蓋閉鎖時制御処理のフローチャートである。
【図７】図１の撮像装置によって実行されるカード挿入時制御処理のフローチャートである。
【符号の説明】
【０１２３】
５０  システム制御回路
５１  カード種別読取り部
５３  カード仕様データベース
５４  表示部
７１  カード蓋
７２  モードダイアルスイッチ
７３  カード蓋検出スイッチ
８０  電源制御部
９０  インターフェース
９３  カード検出スイッチ
２００  カード
【図１】
2006033365.tif 000003
【図２】
2006033365.tif 000004
【図３】
2006033365.tif 000005
【図４】
2006033365.tif 000006
【図５】
2006033365.tif 000007
【図６】
2006033365.tif 000008
【図７】
2006033365.tif 000009